(57)【要約】【課題】粘着巻きテープをテープカッターで容易にカットができて、且つ、梱包器とクリーナー機能を兼ね備えたシンプルな粘着巻きテープカッターの提供。【解決手段】  本発明の粘着巻きテープカッターはドーナツ型環状の容器形態を有し、粘着巻きテープの形状に係合する蓋と環状型容器から構成される容器に粘着巻きテープを装填して、環状型容器の一部に粘着テープを取り出す開口部を設け、開口部にバネ式テープ押圧切断器具３とバネ開放のストッパー３１を配し、梱包時に片手で粘着巻きテープを梱包材テープとして応用できる粘着巻きテープカッターで、且つ、粘着巻きテープの粘着面を表にしてテープカッター容器の外側面に沿わし、テープ切断機器具の環状対面にバネ式テープ押圧固定器具４を配し、粘着巻きテープを固定してクリーナーとして使用できる粘着巻きテープカッターの提供。【選択図】図４
2006232461.tif 000002
【特許請求の範囲】
【請求項１】
粘着巻きテープを収容し得る収容空間を内部に有し、この収容空間内において前記巻きテープを回転可能に支持するとともに、前記巻きテープを構成するテープを引き出して適宜の長さにカットするための切断器具を備え、前記巻きテープの形状に係合するドーナツ型環状容器部とその容器に密接係合する蓋で構成される粘着巻きテープカッターで、該容器環状側面に該テープを引き出すための指幅大の開口部を設け、開口部外側面に該テープ切断を行うところのＬ字型形状の押圧回転上下可動切断器具を装備、該切断器具の中心部には回転上下可動の円柱形軸部と押圧バネを該軸部に装着。該切断器具のＬ字型形状中心軸部から一側方面先端部にテープ切断歯を配した面部とし、もう一側方面部には押圧面部を持たせたところの粘着巻きテープカッター。
【請求項２】
請求項1記載の該切断歯後部裏面部に粘着テープの粘着軽減用突起部と該テープの取り出しを容易ならしめる適宜狭面接着面部を設けたところの粘着巻きテープカッター。
【請求項３】
請求項1、２で記載の該切断器具装備の開口部一側部に回転可動円柱部を設けたところの粘着巻きテープカッター。
【請求項４】
請求項1で記載の粘着巻きテープカッターの開口部から約半円周先の外側面にバネ式テープ押圧回転上下可動機能を有するテープ固定器具を装備し、該テープの粘着面を表にして該テープカッター容器外側面に該テープを沿わせ、該固定器具でテープを固定。開口部から該固定器具までのテープ粘着幅面でクリーナー機能を持たせるところの粘着巻きテープカッター。
【請求項５】
請求項1記載のテープカッターの蓋部平面部の適宜の箇所に蓋開けフック兼テープ残量確認が行える窓穴部を設けたところの粘着巻きテープカッター。
【請求項６】
請求項1記載のテープカッターの該切断器具の切断歯部を開放状態に保持するストッパー金具を該切断器具押圧面部後方に装備せしめたところの粘着巻きテープカッター。
【発明の詳細な説明】
【技術分野】
【０００１】
テープカッター機能と粘着巻きテープの梱包・クリーナー機能を兼用するテープカッター器の形状形態に関する。
【背景技術】
【０００２】
従来のテープカッターには据え置き型のものや簡単な金属片切断歯を巻きテープの環状部に装着したものがある。また、粘着巻きテープのごみ取布として粘着巻きテープを敵幅に切断して使用する。
【特許文献１】特許公開２００４−００１９３７
【特許文献２】特許公開２００３−１２８３３５
【発明の開示】
【発明が解決しようとする課題】
【０００３】
粘着巻きテープをテープカッターで容易にカットができて、且つ、テープのカットと片手で梱包テープ使用ができ、テープ粘着面でのゴミ取クリーナー機能を兼ね備えたシンプルな粘着巻きテープカッターの提供。
【課題を解決するための手段】
【０００４】
本発明の粘着巻きテープカッターはドーナツ型環状の容器形態を有し、粘着巻きテープの形状に係合する蓋と環状型容器から構成される容器に粘着巻きテープを装填して、環状型容器の一部に粘着テープを取り出す開口部を設け、開口部にバネ式テープ押圧切断器具を装備し、且つ、粘着巻きテープの粘着面を表にしてテープカッター容器の外側面に沿わし、テープ切断機器具の環状対面にバネ式テープ押圧固定器具を配した粘着巻きテープカッターで、梱包テープとして使用時、該テープ切断器具のバネ押圧部を開放しストッパー金具で固定保持することにより粘着巻きテープが押圧から開放され、粘着テープを片手で貼ることができる粘着巻きテープカッターの提供。
【発明の効果】
【０００５】
本発明の粘着巻きテープカッターはテープカッターとして簡単にテープカットができ、粘着巻きテープの形状に係合する蓋と環状型容器で構成されるドーナツ型環状容器で、容易にテープが装填可能である。また粘着巻きテープの粘着面を表にしてドーナツ型環状容器の環状外側面にテープ粘着面を表にして沿わし、バネ式テープ押圧固定器具で押圧することで該テープが固定され、粘着巻きテープカッターは手軽に簡易クリーナーになる。また、梱包材テープとしてバネ式テープ押圧切断器具を開放するためにストッパー金具で開放固定して片手で粘着テープを貼ることができる３通りの機能を有する。また、粘着巻きテープカッター容器は粘着巻きテープを全体的に包囲し、その結果、粘着巻きテープへのゴミの付着も防げる効果も有する。蓋部平面部に設けた窓穴部は蓋を開けるフックの役目と該テープの残量を調べることも兼ね備えている。日常において、家庭用品として、また、事務用品として、重宝される梱包・クリーナー兼用テープカッターとしての粘着巻きテープカッターの提供。
【発明を実施するための最良の形態】
【０００６】
本発明実施の形態を「図１」、「図２」、「図３」、「図４」、「図５」に基づいて説明する。「図１」は斜視図を示し、ドーナツ型形状粘着巻きテープ容器はテープ装填空部と蓋とで構成される容器で、容器部と蓋部の接合部は容器外側面１、空部内側面２と蓋部外側面部１２、空部内側面部１０が密着係合接合するそれぞれの適宜の帯幅と直径幅を有する。蓋部平面部には蓋の開け閉め用窓穴部を設け、テープ残量を確認する窓穴部を兼ね備える。蓋部内平面部１５には粘着テープの回転抵抗軽減に無数の微小突起成型面１５とする。蓋と容器部は連結部１１で連結せしめ、該容器内平面部５にも蓋部内平面部１５と同じ無数の微小突起成型面５とする。該容器側面１の蓋連結部１１から4分の1週程の位置に指幅大のテープ取り出し開口部を設け、開口部の連結部側にテープ切断器具３を設置。この該切断器具３は図２で示したＬ字型形状で角中央部に回転上下可動の軸部１６，１７を配し、押圧バネ８を軸に装填、Ｌ字型切断器具３の一方にテープ切断歯１９を配し、その切断歯後部裏面１８に粘着テープの粘着軽減用突起部１８を施す。テープ取り出し開口部のＬ字型切断機３反対部にテープを取り出しやすくする回転可動な円柱部６を装備し、且つ、粘着面を表にしてドーナツ型環状粘着巻きテープ容器の外側面に沿わせ、切断器具３の約半円周先の側面にバネ式押圧テープ固定器具４を装備し、テープを押圧固定する。該テープ固定器具４は該切断器具３と同型で異なる部分は切断歯を有しないところである。粘着巻きテープカッターに粘着巻きテープを装填して、テープの切断とクリーナー使用時には図５で示すように片手で容器環状部を把持し該テープの切断を行い、バネ式テープ押圧切断器具バネ押圧部を開放しストッパー金具で固定開放保持して梱包テープとして使用。テープ容器外側面部にテープ切断器具３と切断器具切断歯押圧部を開放するストッパー３１を装備、テープ固定器具４の位置に係合する軸受け支持部２８，２９を配備したところの粘着巻きテープカッター。
【図面の簡単な説明】
【０００７】
【図１】平面図
【図２】テープ切断器具斜視図
【図３】テープ固定器具斜視図
【図４】粘着巻きテープカッター斜視図
【図５】粘着巻きテープカッター実施例斜視図
【符号の説明】
【０００８】
１    テープカッター容器外側面
２    テープカッター容器内側面
３    テープ切断器具
４    テープ固定器具
５    テープ容器平面部
６    回転可動円柱形部
７    バネ押圧部
８    テープ切断器具押圧バネ
９    テープ固定器具押圧バネ
１０    バネ押圧面部
１１    連結部
１２    蓋外側面接合部
１３    窓穴部
１４    蓋空部
１５    蓋平面部
１６    テープ切断器具軸部
１７    テープ切断器具軸部
１８    テープ切断器具裏面部
１９    テープ切断歯
２０    テープ固定器具軸部
２１    テープ固定器具軸部
２２    テープ固定器具裏面部
２３    テープ裏面
２４    容器内テープ
２５    テープ容器空部
２６    テープ切断器具押圧面部
２７    テープ固定器具押圧面部
２８    テープ切断器具軸受け部
２９    テープ固定器具軸受け部
３０    蓋空部側面接合面部
３１    ストッパー金具
【図１】
2006232461.tif 000003
【図２】
2006232461.tif 000004
【図３】
2006232461.tif 000005
【図４】
2006232461.tif 000006
【図５】
2006232461.tif 000007